(57)【要約】【課題】  特殊化二次元メディア又は立体視メディアの三次元知覚を可能にする眼用装置に関連する方法、器具及び装置を提供する。【解決手段】  本発明は、立体視メディアの三次元知覚のための眼用レンズのビューイングセットを成形するための方法及び器具を開示し、得られるビューイングセット装置を包含する。ビューイングセットは、左側眼用レンズと右側眼用レンズを含み、各眼用レンズは、変換フィルタを含有し、変換フィルタが組み合わされる場合、三次元知覚を可能にする。本発明はまた、変換フィルタが、封入剛性インサート又はメディアインサート内に内蔵されている実施形態を含み、このメディアインサートは、可変光学ゾーンを含む。【選択図】  図１
2014182384.tif 000002
【特許請求の範囲】
【請求項１】
立体視メディアの三次元知覚のための眼用装置のビューイングセットであって、
ユーザーの第１の眼上又は第１の眼の中に配置するための第１の眼用装置であって、前記第１の眼に第１のフィルタ処理された立体視メディアの変換物を提供することが可能な第１の変換フィルタを具備する、第１の眼用装置と、
前記ユーザーの第２の眼上又は第２の眼の中に配置するための第２の眼用装置であって、前記第２の眼に第２のフィルタ処理された立体視メディアの変換物を提供することが可能な第２の変換フィルタを具備する、第２の眼用装置と、を含み、
前記第１のフィルタ処理された変換物と前記第２のフィルタ処理された変換物が、同時に目視される場合、三次元知覚を構成する、ビューイングセット。
【請求項２】
前記第１の変換フィルタと前記第２の変換フィルタが、偏光要素を具備する、請求項１に記載のビューイングセット。
【請求項３】
前記第１の変換フィルタと前記第２の変換フィルタが、二色性フィルタを具備する、請求項１に記載のビューイングセット。
【請求項４】
前記第１の変換フィルタが、第１の二色性材料を具備し、前記第１の二色性材料が、波長値の第１のセットをフィルタ処理し、
前記第２の変換フィルタが、第２の二色性材料を具備し、前記第２の二色性材料が、波長値の第２のセットをフィルタ処理し、
前記第１の眼用レンズ及び前記第２の眼用レンズが同時に目視される場合、前記波長値の第１及び第２のセットの組み合わせが、三次元知覚を構成する、請求項１に記載のビューイングセット。
【請求項５】
前記第１の眼用装置内に内蔵される第１のインサート装置と、
前記第２の眼用装置内に内蔵される第２のインサート装置と、を更に含む、請求項１に記載のビューイングセット。
【請求項６】
前記第１のインサート装置が、第１のメディアインサートを具備し、前記第２のインサート装置が、第２のメディアインサートを具備する、請求項５に記載のビューイングセット。
【請求項７】
前記第１のインサート装置が、前記第１の変換フィルタを具備し、前記第２のインサート装置が、前記第２の変換フィルタを具備する、請求項５に記載のビューイングセット。
【請求項８】
前記第１の変換フィルタと前記第２の変換フィルタが、偏光要素を具備する、請求項７に記載のビューイングセット。
【請求項９】
前記第１の変換フィルタと前記第２の変換フィルタが、二色性フィルタを具備する、請求項７に記載のビューイングセット。
【請求項１０】
熱成形プロセスを通じて、前記第１の変換フィルタが、前記第１のインサート装置内に内蔵され、前記第２の変換フィルタが、前記第２のインサート装置内に内蔵される、請求項７に記載のビューイングセット。
【請求項１１】
前記第１のメディアインサートが、前記第１の眼用装置の光学ゾーン内に含まれる第１の可変光学領域を制御することが可能であり、
前記第２のメディアインサートが、前記第２の眼用装置の光学ゾーン内に含まれる第２の可変光学領域を制御することが可能である、請求項６に記載のビューイングセット。
【請求項１２】
前記第１の可変光学領域が、第１の液体メニスカスレンズを具備し、前記第１の液体メニスカスレンズのエネルギー印加により、前記第１の可変光学領域の屈折力を変更することが可能であり、
前記第２の可変光学領域が、第２の液体メニスカスレンズを具備し、前記第２の液体メニスカスレンズのエネルギー印加により、前記第２の可変光学領域の屈折力を変更することが可能である、請求項１１に記載のビューイングセット。
【請求項１３】
前記第１の可変光学領域が、前記第１の変換フィルタを具備し、前記第２の可変光学領域が、前記第２の変換フィルタを具備する、請求項１１に記載のビューイングセット。
【請求項１４】
前記第１及び第２の可変光学領域が、液晶を具備し、
前記第１の可変光学領域の起動により、前記第１のインサート装置の前記光学ゾーンを黒化することが可能であり、
前記第２の可変光学領域の起動により、前記第２のインサート装置の前記光学ゾーンを黒化することが可能であり、
前記第１の可変光学領域と前記第２の可変光学領域の交互の起動により、前記立体視メディアの前記三次元知覚を構成する、請求項１３に記載のビューイングセット。
【請求項１５】
前記第１のメディアインサートが、
第１のセンサであって、ビューイング区域内の立体視メディアの存在又は不在を認識することが可能である、第１のセンサと、
前記第１のセンサと電気的導通状態にある第１の起動負荷であって、立体視メディアが前記ビューイング区域内に存在する場合、前記交互の起動を開始することが可能であり、前記立体視メディアが前記ビューイング範囲内に存在しない場合、前記交互の起動を終了することが可能である、第１の起動負荷と、を更に具備する、請求項１４に記載のビューイングセット。
【請求項１６】
前記第１のメディアインサートが、
第２のセンサであって、前記立体視メディアのリフレッシュ速度を認識することが可能である、第２のセンサと、
前記第２のセンサと電気的導通状態にある第２の起動負荷であって、前記第１の可変光学領域と前記第２の可変光学領域の前記交互の起動を、前記立体視メディアの前記リフレッシュ速度と同期化させることが可能である、第２の起動負荷と、を具備する、請求項１５に記載のビューイングセット。
【請求項１７】
前記第１及び第２の変換フィルタが、非立体視メディアを目視する場合、知覚されないものである、請求項１に記載のビューイングセット。
【請求項１８】
前記第１の眼用装置と前記第２の眼用装置が、視力矯正機能を更に具備する、請求項１７に記載のビューイングセット。
【請求項１９】
前記第１の眼用装置が、第１の安定化特徴部を更に具備し、前記第１の安定化特徴部が、前記第１の眼上で前記第１の眼用装置を配向させることが可能であり、
前記第２の眼用装置が、第２の安定化特徴部を更に具備し、前記第２の安定化特徴部が、前記第２の眼上で前記第２の眼用装置を配向させることが可能である、請求項１に記載のビューイングセット。
【請求項２０】
前記第１の安定化特徴部が、前記ユーザーへの第１の視覚的配向キューを具備し、前記第２の安定化特徴部が、前記ユーザーへの第２の視覚的配向キューを具備する、請求項１９に記載のビューイングセット。
【発明の詳細な説明】
【技術分野】
【０００１】
本発明は、特殊化二次元メディア又は立体視メディアの三次元知覚を可能にする眼用装置に関連する方法、器具及び装置について記述し、具体的には、いくつかの実施形態では、剛性インサート又はメディアインサートを備える眼用装置について記述する。
【背景技術】
【０００２】
従来、コンタクトレンズ、眼内レンズ、又は涙点プラグなどの眼用装置には、矯正、美容、若しくは治療的性質を有する生体適合性装置が含まれていた。例えば、コンタクトレンズは、視力矯正機能、美容効果、及び治療効果のうちの１つ以上を提供することができる。それぞれの機能は、レンズの物理的特性によってもたらされる。レンズに屈折性を組み込んだ設計によって、視力矯正機能をもたらすことができる。レンズに顔料を組み込むことによって、美容効果をもたらすことができる。レンズに活性薬剤を組み込むことによって、治療効果をもたらすことができる。そのような物理的特性は、レンズをエネルギー印加状態にすることなく達成され得る。
【０００３】
現在、例えば立体視結像などの特殊化二次元画像の三次元ビューイングの人気が高まっている。この人気は、３−Ｄ映画の急増及び３−Ｄテレビの開発を促した。多くの場合、三次元ビューイングは、画像が目に到達する前に、二次元画像を読み取る特殊な装置を必要とし、集められフィルタ処理された変換物からの三次元知覚を可能にする。
【発明の概要】
【発明が解決しようとする課題】
【０００４】
最近、能動的構成部品がコンタクトレンズ内に内蔵され、この内蔵は、眼用装置内へのエネルギー印加要素の組み込みを伴う場合がある。この効果を達成するための比較的複雑な構成要素は、それらをインサート装置内に内蔵し、次いでこれを現況技術の眼用レンズの製造で有用である標準的又は類似した材料で包むことによって、改善された特性を引き出す可能性がある。多様な種類のインサートを実現するために、プロセス、方法、及び得られる装置を改善することが望ましい場合がある。エネルギー印加インサートのためのいくつかの解決策が、非エネルギー印加装置及び他の生物医学的装置に関する新規態様をもたらすことができると考えられ得る。結果的に、以上のことより、眼用レンズビューイングセットに関する新規方法、装置、及び器具が重要である。
【課題を解決するための手段】
【０００５】
本発明は、立体視メディアの三次元知覚のための眼用装置のビューイングセットに関する技術革新を含み、このセットは、ユーザーの右眼に配置するための第１の眼用装置（ここでは、第１の眼用装置は、立体視メディアの第１のフィルタ処理された変換物を右眼に提供することができる第１の変換フィルタを具備する）と、ユーザーの左眼に配置するための第２の眼用装置（ここでは、第２の眼用装置は、立体視メディアの第２のフィルタ処理された変換物を左眼に提供することができる第２の変換フィルタを具備する）とを備え、第１のフィルタ処理された変換物及び第２のフィルタ処理された変換物は、同時に目視される場合、三次元知覚を構成する。変換フィルタは、立体視メディアを見ない場合、知覚されないものであってもよい。
【０００６】
眼用装置は、ヒドロゲル材料を含むことができ、いくつかの実施形態では、眼用装置は、剛性インサート又はメディアインサートなどのインサート装置を更に内蔵してもよい。例えば、熱成形プロセスなどを通じて、第１のインサート装置は第１の変換フィルタを具備することができ、第２のインサート装置は第２の変換フィルタを具備することができる。
【０００７】
いくつかの実施形態では、第１の変換フィルタ及び第２の変換フィルタは、例えば、円偏光又は線形偏光を含む偏光要素を備えることができる。他の実施形態では、第１の変換フィルタ及び第２の変換フィルタは、二色性フィルタを具備することができ、第１の変換フィルタは、第１の二色性の材料を具備することができ、この第１の二色性の材料は、波長値の第１のセットをフィルタ処理し、第２の変換フィルタは、第２の二色性の材料を具備し、この第２の二色性の材料は、波長値の第２のセットをフィルタ処理し、第１の眼用レンズ及び第２の眼用レンズが同時に目視される場合、波長値の第１及び第２の組み合わせは、三次元知覚を構成することができる。
【０００８】
いくつかの実施形態では、眼用装置は、安定化特徴部を更に備えることができ、この安定化特徴部は、眼上で眼用装置を配向させることが可能である。安定化特徴部はまた、ユーザーへの視覚的配向キューを更に備えることができ、ユーザーは眼上への配置前に、眼用装置がどのように配向されているかを見ることができる。
【０００９】
メディアインサートを含み得るいくつかの実施形態では、第１のメディアインサートは、第１の眼用装置の光学ゾーン内に含まれる第１の可変光学領域を制御することが可能であり、第２のメディアインサートは、第２の眼用装置の光学ゾーン内に含まれる第２の可変光学領域を制御することが可能である。例えば、メディアインサートは、視力矯正機能を提供してもよく、可変光学領域は、液体メニスカスレンズを具備してもよく、液体メニスカスレンズのエネルギー印加により、可変光学領域の屈折力を変更することが可能である。
【００１０】
あるいは、可変光学領域は、変換フィルタを具備してもよい。例えば、可変光学領域は、液晶を具備してもよく、可変光学領域の起動により、眼用装置の光学ゾーンを黒化することができる。いくつかのかかる実施形態では、第１の可変光学領域と第２の可変光学領域の交互の起動により、立体視メディアの三次元知覚を構成することができる。
【００１１】
メディアインサートは、第１のセンサ（この第１のセンサは、ビューイング区域内の立体視メディアの存在又は不在を認識することが可能である）と、第１のセンサと電気的導通状態にある第１の起動負荷（この第１の起動負荷は、立体視メディアがビューイング区域内に存在する場合、交互の起動を開始することが可能であり、立体視メディアがビューイング区域内に存在しない場合、交互の起動を終了することが可能である）とを更に具備してもよい。
【００１２】
かかる実施形態では、メディアインサートは、第２のセンサ（この第２のセンサは、立体視メディアのリフレッシュ速度を認識することが可能である）と、第２のセンサと電気的導通状態にある第２の起動負荷（この第２の起動負荷は、第１の可変光学領域及び第２の可変光学領域の交互の起動を、立体視メディアのリフレッシュ速度と同期化させることができる）とを更に具備してもよい。
【図面の簡単な説明】
【００１３】
【図１】変換フィルタを有する眼用レンズのビューイングセットの例示の実施形態を示す図。
【図２】変換フィルタを有する眼用レンズのビューイングセットの代替実施形態を示す図。
【図３】剛性インサートを含むことができ、この剛性インサートが変換フィルタを含む、眼用レンズのビューイングセットの例示の実施形態を示す図。
【図４】剛性インサートを含むことができ、この剛性インサートが変換フィルタを含む、眼用レンズのビューイングセットの代替実施形態を示す図。
【図５】メディアインサートを含むことができ、このメディアインサートが変換フィルタを含む、眼用レンズのビューイングセットの例示の実施形態を示す図。
【図６】メディアインサートを含むことができ、このメディアインサートが変換フィルタを制御しない、眼用レンズのビューイングセットの例示の実施形態を示す図。
【発明を実施するための形態】
【００１４】
本発明は、変換フィルタを有する眼用レンズのビューイングセットを製造するための方法及び器具を含み、このビューイングセットは、立体視メディアの三次元知覚を可能にするものである。これに加えて、本発明は、結果として得られる眼用レンズのビューイングセットを含む。
【００１５】
立体視メディアは、２つの像の同時表示を伴い、脳は２つの像を三次元特性を有する単一像として解釈する。いくつかの制限メディアは、例えば、サイドバイサイド式立体視結像におけるなど、フィルタリング装置を必要としない三次元知覚を可能にし、ここでは、視聴者は、目を交差させることによって無理に三次元知覚をする場合がある。他のメディアは、自動立体視技術を含み、ここではフィルタリングメカニズムは、例えばパララックスバリアを利用する携帯ゲーム機などの投射装置内に含まれる。フィルタリングメカニズムが投射装置内に含まれているため、フィルタリングが眼の定義済みのセットに合うよう調整されるが、三次元知覚は更なるフィルタリング装置を必要とせず、三次元知覚が異なる特性を有するユーザーに有効なものがない場合もある。
【００１６】
その他のタイプの立体視メディアは、更なるフィルタリング装置を必要とし、多く場合フィルタリング装置は携帯式かつ個人的であり、ここでは各視聴者は、三次元知覚を体験するためにフィルタリング装置を使用しなければならない。一般的なフィルタリング装置は、「３−Ｄ眼鏡」を含み、これは、眼鏡のように構成され、各々の「レンズ」が変換フィルタを含む。立体視メディアを見るために一緒に使用される場合、２つのフィルタは、脳に三次元知覚を体験させる。
【００１７】
立体視メディアの再来は、技術の開発を促した。例えば、立体視メディアを作り出すことは、微妙な違いのある三次元結像を可能にするようより複雑になり、ここでは視聴者が写し出された環境内で没入感を得ることができる。別の例として、立体視メディアを利用するホームシアターテレビの開発が挙げられ、ここでは、スポーツなどの標準テレビプログラミングが三次元的に視聴され得る。立体視メディアは、将来更により一般的になる可能性がある。
【００１８】
最も一般的な立体視メディアは、いくつかのバリエーションの３−Ｄ眼鏡を必要とする。しかしながら、眼鏡、特にホームシアター用の眼鏡は、扱い難くかつ高価であることが多い。これに加えて、「レンズ」は静的であり、眼球運動は視点を移動させるため、このことは立体的な映画を見る間などの長い時間にわたると不快であることもある。立体視テレビは、多くは、３−Ｄ眼鏡の１つ又は２つのセットを含み、このことが本質的に視聴者の数を限定する。その上、眼鏡は入手可能であるが、コストが極めて高い場合が多い。
【００１９】
結果的に、本発明は、立体視メディアの三次元知覚のための代替フィルタリング装置を含む。一般的に、本発明のいくつかの実施形態によれば、剛性インサートは、レンズを作るために使用する成形型部分に対して所望の位置にインサートを定置し得るオートメーションを介して、眼用レンズ内に統合される。様々な構成要素を眼用レンズ内に配置する実施形態は、構成要素を定位置に封止し接着するか、又は構成要素を封入する１つ以上の工程を使用し得る。
【００２０】
メディアインサートを有するいくつかの実施形態では、エネルギー源は、コマンドにより起動することができ、眼用レンズ内に含まれるエネルギー源から電流を引くことができる構成要素と電気的に導通するように配置される。構成要素は、例えば、半導体装置、能動若しくは受動電気装置、又は電気的に起動される機器（例えば、微小電気機械（ＭＥＭＳ）、ナノ電気機械システム（ＮＥＭＳ）、又は微小機械を含む）を含んでもよい。エネルギー源、及び構成要素の定置後、反応混合物は、成形型部品によって成形することができ、重合して眼用レンズを形成することができる。
【００２１】
以下の項において、本発明の実施形態の詳細な説明を与える。好ましい実施形態及び代替の実施形態の両方の説明は、代表的な実施形態に過ぎず、変形、修正、及び代替が当業者にとって明白であり得ることが理解される。したがって、これらの代表的な実施形態が基礎をなす発明の範囲を制限しない点は理解されなければならない。
【００２２】
用語集
本発明を対象としたこの説明及び特許請求の範囲においては、以下の定義が適用される様々な用語が用いられ得る。
後方湾曲ピース又は後方インサートピース：本明細書で使用するとき、前述のインサートに組み立てられたとき、後方にある眼用レンズの側面上の位置を占めるマルチピース型剛性インサートの固体要素を指す。眼用装置では、そのようなピースは、インサートの、ユーザーの眼の表面により近い側面上に配置される。いくつかの実施形態では、後方湾曲ピースは、眼用装置の中央に領域を収容しかつ含有してもよく、これを通って光がユーザーの眼（光学ゾーンと呼ばれ得る）まで進むことができる。他の実施形態では、ピースは、光学ゾーンにおける領域の一部若しくは全てを収容しないか、又は含まない環状の形状をとってもよい。眼用インサートのいくつかの実施形態では、複数の後方湾曲ピースが存在してもよく、それらのうちの１つは、光学ゾーンを含んでもよく、一方で、他のものは環状又は環の部分であってもよい。
【００２３】
構成要素：本明細書で使用するとき、論理的状態、又は物理的状態の１つ以上の変化を生じるためにエネルギー源から電流を引くことができる装置を指す。
【００２４】
封入する：本明細書で使用するとき、例えば、メディアインサートなどの実体を、実体に隣接した環境から隔てるためのバリアを作り出すことを指す。
【００２５】
封入材：本明細書で使用するとき、例えば、メディアインサートなどの実体を隣接した環境から実体を隔てるためのバリアを作り出す、実体を包囲して形成された層を指す。例えば、封入材は、エタフィルコン、ガリフィルコン、ナラフィルコン、及びセノフィルコンなどのシリコーンヒドロゲル、又は他のヒドロゲルコンタクトレンズ材料から構成され得る。いくつかの実施形態では、封入材は特定の物質を実体内に包含するために半透性であり、例えば水などの特定の物質が実体に入り込むことを防止することができる。
【００２６】
エネルギー印加された：本明細書で使用するとき、電流を供給するか、又は内部に蓄積される電気エネルギーを有することができる状態を指す。
【００２７】
エネルギー：本明細書で使用するとき、ある物理系が仕事をする能力のことを指す。本発明で使用される場合の多くは、動作する際に電気的作用を行うことが可能なこの能力に関連し得る。
【００２８】
エネルギー源：本明細書において使用するとき、エネルギーを供給するか、又は生物医学的装置をエネルギー印加された状態とすることが可能な装置のことを指す。
【００２９】
エネルギーハーベスター：本明細書で使用するとき、環境からエネルギーを抽出し、これを電気エネルギーに変換することができる装置を指す。
【００３０】
フィルタ処理された変換物：本明細書で使用するとき、変換フィルタを通じて見られた場合に得られる知覚された画像を指す。
【００３１】
前方湾曲ピース又は前方インサートピース：本明細書で使用するとき、前述のインサートに組み立てられたときに、前方にある眼用レンズの側面上の位置を占める、マルチピース型剛性インサートの固体要素を指す。眼用レンズでは、前方湾曲ピースは、インサートの、ユーザーの眼の表面からより遠い側面上に位置付けられる。いくつかの実施形態では、ピースは、眼用装置の中央に領域を収容しかつ含有してもよく、これを通って光がユーザーの眼（光学ゾーンと呼ばれ得る）まで進むことができる。他の実施形態では、ピースは、光学ゾーンにおける領域の一部若しくは全てを収容しないか、又は含まない環状の形状をとってもよい。眼用インサートのいくつかの実施形態では、複数の前方湾曲ピースが存在してもよく、それらのうちの１つは、光学ゾーンを含んでもよく、一方で、他のものは環状又は環の部分であってもよい。
【００３２】
レンズ形成混合物、又は反応性混合物若しくは反応性モノマー混合物（ＲＭＭ）：本明細書で使用するとき、硬化及び架橋することができるか、又は架橋して眼用レンズを形成することができるモノマー材料又はプレポリマー材料を指す。様々な実施形態は、ＵＶ遮断剤、染料、光開始剤、又は触媒、及びコンタクト又は眼内レンズ等の眼用レンズに望まれ得る他の添加剤等の１つ以上の添加剤を有するレンズ形成混合物を含むことができる。
【００３３】
レンズ形成表面：レンズの成形に用いられる表面を指す。いくつかの実施形態では、任意のこのような表面は、光学品質表面仕上げを有することができ、光学品質表面仕上げとは、表面が十分に滑らかで、成形表面に接触しているレンズ形成材料の重合によって作られるレンズ表面が光学的に許容可能であるように形成されていることを示す。更に、いくつかの実施形態においては、レンズ形成表面は、レンズ表面に所望の光学特性を付与するのに必要な幾何学形状を有することができる。所望の光学特性としては、限定することなく、球面、非球面、及び円筒屈折力、波面収差補正、角膜トポグラフィ補正などに加えて、それらの任意の組み合わせが挙げられる。
【００３４】
液晶：本明細書で使用するとき、従来の液体と固体結晶との間の特性を有する物質の状態を指す。液晶は、固体とはみなされ得ないが、その分子はある程度の整列を呈する。本明細書で使用するとき、液晶は、特定の相又は構造に限定されることはないが、液晶は特定の静止配向を有することができる。液晶の配向及び相は、液晶の部類に応じて、例えば、温度、磁気、又は電気などの外部力によって操作され得る。
【００３５】
リチウムイオン電池：リチウムイオンがセルを通って動くことによって電気的エネルギーを生成する電気化学セルを指す。典型的には電池とよばれるこの電気化学セルは、その典型的な形態でエネルギーが再印加され得るか、又は再充電され得る。
【００３６】
メディアインサート：本明細書で使用するとき、エネルギー印加眼用装置内に内蔵される封入されたインサートを指す。エネルギー印加要素及び回路は、メディアインサート内に埋め込まれてもよい。メディアインサートは、エネルギー印加眼用装置の主要な目的を規定する。例えば、エネルギー印加眼用装置によりユーザーが屈折力（optic power）を調整できる実施形態では、メディアインサートは、光学ゾーン内の液体メニスカス部分を制御するエネルギー印加要素を含んでもよい。あるいは、メディアインサートは、光学ゾーンに材料がないように、環状であってもよい。かかる実施形態では、レンズのエネルギー印加機能は、光学品質でなくてもよく、例えば、グルコースのモニタリング又は医薬品の投与であってもよい。
【００３７】
成形型：未硬化の配合物からレンズを形成するために使用可能な、剛性又は半剛性の物体のことを指す。いくつかの好ましい成形型は、前方湾曲成形型部分及び後方湾曲成形型部分を形成する２つの成形型部分を含む。
【００３８】
眼用レンズ又は眼用装置又はレンズ：本明細書で使用するとき、眼内又は眼上に存在する、任意の装置を指す。この装置は、光学的な補正を提供してもよく、美容的なものであってもよく、又は光学品質とは無関係の機能を提供してもよい。例えば、レンズという用語は、コンタクトレンズ、眼内レンズ、オーバーレイレンズ、眼球インサート、光学インサート又は他の同様の、視力が補正若しくは変更される装具か、又は視野を妨げることなく目の生理機能が美容的に拡張される（例えば、虹彩色）装具を指すことができる。あるいは、レンズは、例えば、涙液の構成成分のモニタリング又は活性薬剤の投与の手段などの、視覚補正以外の機能で眼上に配置され得る装置を指してもよい。いくつかの実施形態では、本発明の好ましいレンズは、例えば、シリコーンヒドロゲル及びフルオロヒドロゲルを含み得る、シリコーンエラストマー又はヒドロゲルから製造される、ソフトコンタクトレンズであり得る。
【００３９】
光学ゾーン：本明細書で使用するとき、眼用レンズの装用者がそこを通して見ることになる、眼用レンズの領域を指す。
【００４０】
電力：本明細書で使用するとき、単位時間当たりに行われる仕事又は移動するエネルギーのことを指す。
【００４１】
再充電可能又はエネルギー再印加可能：本明細書で使用する場合、仕事をするためのより高い能力の状態へと復元可能な能力を指す。本発明内での多くの使用は、再決定された特定の期間、特定の速度で電流を流すことができる能力を有する復元可能な能力に関連し得る。
【００４２】
エネルギー再印加又は再充電：仕事をするための高い能力の状態へと復元することを指す。本発明内での多くの使用は、再決定された特定の期間、特定の速度で電流を流すことができる能力を有する復元可能な能力に関連し得る。
【００４３】
成形型から取り外された：レンズが成形型から完全に分離されたか、又は軽い振動によって取り外すか若しくは綿棒を用いて押し外すことができるようにほんの軽く付着しているだけのいずれかであることを意味する。
【００４４】
剛性インサート：本明細書で使用するとき、定義済みのトポグラフィを維持するインサートを指す。コンタクトレンズ内に内蔵される場合、剛性インサートは、レンズの機能に寄与することができる。例えば、剛性インサートのトポグラフィ又はその内部の密度を変更することは、乱視を有するユーザーにおける視力を矯正し得るゾーンを規定することができる。
【００４５】
安定化特徴部：本明細書で使用するとき、眼用装置が眼上に配置される場合に、眼用装置を眼上の特定の配向に安定させる物理特性を指す。いくつかの実施形態では、安定化特徴部は、眼用装置を安定させるのに十分な質量を付加することができる。いくつかの実施形態では、安定化特徴部は、前方湾曲表面を変更することができ、ここでは瞼が安定化特徴部を捕捉することができ、ユーザーがまばたきすることによってレンズを再配向することができる。かかる実施形態は、質量を付加する安定化特徴部を含有することによって向上され得る。いくつかの実施形態では、安定化特徴部は、封入生体適合性材料とは別個の材料であってもよく、成形プロセスとは別個に形成されたインサートであってもよく、又は剛性インサート若しくはメディアインサート内に内蔵されてもよい。
【００４６】
スタック統合コンポーネントデバイス又はＳＩＣデバイス：本明細書で使用するとき、電気的及び電気機械的デバイスを含み得る基材の薄層を、各層の少なくとも一部分を互いの上に積み重ねる手段により、動作可能な統合デバイスへと組み立て得るパッケージング技術製品を指す。層は、様々な型式、材料、形状及びサイズのコンポーネントデバイスを含んでもよい。更に、層は、様々な輪郭に適合させてその輪郭をとらせる、様々なデバイス製造技術により作製され得る。
【００４７】
三次元知覚又は三次元ビューイング：本明細書で使用するとき、脳が画像の三次元特性を解釈するように、眼用装置が二次元像を変換する場合を指す。
【００４８】
三次元表面又は三次元基材：本明細書で使用するとき、平面表面とは対照的に、トポグラフィが特定の目的のために設計されている三次元的に形成された任意の表面又は基材を指す。
【００４９】
変換フィルタ：本明細書で使用するとき、規定された画像の数値に対して透過性であり、一方その他の規定された画像の数値に対しては不透過性である眼用レンズの特性を指す。画像の数値としては、例えば、波長、光の角度、色、及び光の量が挙げられる。
【００５０】
ビューイングセット：本明細書で使用するとき、一緒に使用される場合、三次元知覚を可能にする一対の眼用装置を指す。
【００５１】
眼用レンズビューイングセット
図１に進むと、二色性の変換フィルタ１０１、１５１を具備する眼用レンズ１００，１５０のビューイングセットの実施形態を図示している。いくつかの実施形態では、左側眼用レンズ１００は、左側二色性変換フィルタ１０１を含むことができ、右側眼用レンズ１５０は、右側二色性変換フィルタ１５１を含むことができる。断面で示すように、左側二色性フィルタ１１１は、赤色、緑色、及び青色（ＲＧＢ）の光の特定の配列を可能にすることができ、右側二色性フィルタ１６１は、ＲＧＢ光の異なる配列を可能にすることができる。右側眼用レンズ１６０及び左側眼用レンズ１１０は、ビューイングセットとして使用されると、組み合わされたフィルタ処理された変換物は、立体視画像の三次元知覚を可能にすることができる。
【００５２】
眼用レンズ１００、１５０はまた、例えば、虹彩パターンを含む美容的色合い、又は視力矯正態様などのその他の受動的要素を含んでもよい。
【００５３】
図２に進むと、偏光変換フィルタ２０１、２５１を具備する眼用レンズ２００、２５０のビューイングセットの代替実施形態を図示し、ここでは眼用レンズ２００、２５０は、円偏光を変換することができる。例えば、ワイヤグリッド、ブルースター角プレートの使用、及び複屈折性又は２軸性材料の使用を含む伝播性材料を通じて光を偏光するための多くの技術がある。
【００５４】
左側眼用レンズ２００は、左側変換フィルタ２０１を含むことができ、右側眼用レンズ２５０は、右側変換フィルタ２５１を含むことができる。断面で示すように、左側変換フィルタ２１１及び右側変換フィルタ２６１は、円偏光を直線的に偏光し、ここでは、２つの変換フィルタ２１１、２６１は、異なる角度で光を偏光することができる。いくつかの実施形態では、左側眼用レンズ２１０及び右側眼用レンズ２６０がビューイングセットとして使用される場合、左側のフィルタ処理された変換物と右側のフィルタ処理された変換物が組み合わさり、立体視画像の三次元知覚を可能にする。
【００５５】
偏光が眼上の特定の配向に依存する実施形態では、眼用レンズ２００、２５０は、安定化特徴部２０２、２５２を含むことができる。かかる実施形態では、安定化特徴部２０２、２５２は、変換フィルタ２０１、２５１と位置合わせされてもよい。断面で示すように、安定化特徴部２１２、２６２は、前方湾曲表面のトポグラフィを変更することができる。変更されたトポグラフィにより、瞼が安定化特徴部２１２、２６２を受け止め、ユーザーは、瞬きによって眼用レンズ２１０、２６０を再配向することができる。
【００５６】
あるいは、安定化特徴部２１２、２６２は、前方湾曲表面のトポグラフィに影響を及ぼすことがなく、付加された質量が、眼上の特定の配向で眼用レンズ２１０、２６０を安定させるのに十分であってもよい。安定化特徴部１２０は、封入反応性モノマー混合物とは異なる材料を含むことができる。眼上への配置を更に容易にするために、安定化特徴部２１２、２６２は、色彩を含有してもよく、ユーザーは、眼用レンズ２００、２５０が眼上でどのように配向し得るかを見ることができる。
【００５７】
図３に進むと、変換フィルタ３０１、３５１を具備する眼用レンズ３００、３５０のビューイングセットの実施形態を図示し、ここでは、変換フィルタ３０１、３５１は、封入された剛性インサート３０４、３５４内に内蔵され得る。
【００５８】
いくつかの実施形態では、剛性インサート３０４、３５４は、眼用レンズ３００、３５０内に内蔵され、眼用レンズは、ポリマーの生体適合性材料で構成することができる。眼用レンズ３００、３５０は、剛性の中心部にあるソフトスカートデザインを含んでもよく、ここでは中心部の光学素子は、剛性インサート３０４、３５４を具備する。眼用レンズ３００、３５０の封入材料３０３、３５３は、例えば、エタフィルコン、ナラフィルコン、ガリフィルコン、及びセノフィルコンを含めるシリコーンヒドロゲルなどの生体適合性の重合材料であり得る。
【００５９】
眼用レンズ１００、１５０と同様なフィルタリング技術が剛性インサート３０４、３５４において利用され得、ここでは、変換フィルタ１０１、１５０は、例えば図１で示すように、ソフトレンズ材料内に内蔵されている。剛性インサート３０４、３５４は、眼用レンズ３００、３５０内に完全に封入されてもよい。結果的に、剛性インサート３０４、３５４は、生体適合性材料に限定されなくともよい。
【００６０】
いくつかの実施形態では、剛性インサート３０４、３５４は、二色性材料のフィルムを具備してもよい。いくつかの実施形態は、それぞれが変換フィルタ３０１、３５１に寄与するフィルムの層を含んでもよい。例えば、一番上のフィルム及び一番下のフィルムは、内部二色性フィルムを保護するよう作用してもよく、保護層は、熱成形プロセスを通じて三次元的に成形されてもよい。
【００６１】
断面で示すように、剛性インサート３１４、３１０は、重合ＲＭＭ  ３１３、３６３によって完全に封入されてもよい。封入プロセスは、剛性インサート３１４、３６４を眼用レンズ３１０、３６０の光学ゾーン内に配置することができる。いくつかの実施形態では、剛性インサート３１４、３６４は、光学ゾーンを超えて延在してもよい。かかる実施形態では、剛性インサート３１４、３６４の周辺部は、受動的機能をもたらし得る。例えば、光学ゾーンの外側部分は、美容的色合い、例えば虹彩パターンを含んでもよく、又は周辺部は活性薬剤を含有してもよい。いくつかの実施形態では、活性薬剤は、緩和する水和をもたらしてもよく、これは、例えば、立体視メディアを見る間など、ユーザーの瞬き速度が遅い場合に有用である。
【００６２】
図４に進むと、剛性インサート４０４、４５４を具備する眼用レンズ４００、４５０のビューイングセットの代替実施形態を図示する。かかる実施形態では、剛性インサート４０４、４５４は、円偏光を変換することができる。左側剛性インサート４０４は、左側変換フィルタ４０１を含むことができ、右側剛性インサート４５４は、右側変換フィルタ４５１を含むことができる。
【００６３】
いくつかの実施形態では、偏光特徴部４０１、４５１が、インサート部品４０４、４５４上に熱成形されてもよい。いくつかの実施形態では、かかる特徴部４０１、４５１は、薄膜出発材料の特性を通じて、インサート部品４０４、４５４に付与されてもよい。あるいは、熱成形プロセスが、偏光特徴部４０１、４５１を付与するよう十分であってもよい。
【００６４】
フィルタリング機能は、単一の技術によって、又は技術の併用によって、剛性インサート４０４、４５４中で展開されてもよい。例えば、いくつかの実施形態では、眼用レンズ４００、４５０の偏光特徴部４０１、４５１は、ワイヤグリッド及び二色性材料を含んでもよい。いくつかの実施形態では、剛性インサート４０４、４５４は、ワイヤグリッドを形成するために並列様式で配備された金属製又は導電性のフィラメント若しくは線の、薄いシートから熱成形されてもよい。
【００６５】
断面で示すように、剛性インサート４１４、４６４は、複数の層を備えてもよい。例えば、前方層４２０、４７０は、四分の一波長板を備えてもよく、後方層４２１、４７１は、線形偏光子を備えてもよく、右側変換フィルタ４６１は、円偏光を直線的に偏光することができ、ここでは２つの変換フィルタ４１１、４６１は、異なる角度で光を偏光することができる。いくつかの実施形態では、左側眼用レンズ４１０及び右側眼用レンズ４６０は、ビューイングセットとして使用される場合、左側のフィルタ処理された変換物及び右側のフィルタ処理された変換物が組み合わさり、立体視画像の三次元知覚を可能にする。
【００６６】
熱成形技術は、前方層４２０、４７０及び後方層４２１、４７１に位置合わせ特徴部を付加することができ、これは、右側剛性インサート４６４及び左側剛性インサート４１４の異なる偏光配向の精密な制御を可能にすることができる。偏光特徴部は、三次元表面を包含するために剛性インサート４６４、４１４を熱成形することによって効果を高めることができる。
【００６７】
例えば、剛性インサート４０４、４５４が眼用レンズ４００、４５０に組み立てられる場合、剛性インサート４０４、４５４は、前方湾曲成形型と後方湾曲成形型との間に形成された空洞に、位置合わせ特徴部と共に配置されてもよい。剛性インサート４０４、４５４は、反応性モノマー混合物（ＲＭＭ）で成形型部品間の区域を充填し、ＲＭＭを重合することによって封入され得る。例えば、シリコーンヒドロゲルなどのヒドロゲルレンズを成形することが可能なものを含む、多くの反応性モノマー混合物が、成形眼用装置の形成に適合することができる。
【００６８】
眼用レンズ４００、４５０の一部の実施形態は、安定化特徴部４０２、４５２を含んでもよく、ここでは安定化特徴部４０２、４５２は、レンズ４００、４５０を眼上で配向し、回転を制限することができる。安定化特徴部４０２、４５２は、変換フィルタ４０１、４５１が特定の位置合わせに依存する実施形態では特に重要である。例えば、ビューイングセットは、同様な変換フィルタ４０１、４５１を含むことができ、２つの特殊なフィルタ処理された変換物は、左側眼用レンズ４００及び右側眼用レンズ４５０内の変換フィルタ４０１、４５１の異なる位置合わせによって引き起こされる場合がある。
【００６９】
剛性インサートによって変換フィルタを内蔵することは、封入材料に付与される更なる受動的機能性を可能にすることができる。例えば、一部の実施形態は、光学ゾーン内に色彩を含んでもよい。いくつかの実施形態では、色彩は、封入材料の固有特性であってもよい。他の実施形態では、色彩特性は、堆積、塗布、又は色彩を反応性モノマー混合物に付与するためのその他の手段によって、封入材料に付加され得る。色彩は、眼用レンズにおいて多様な機能を提供することができる。例えば、色彩は、周囲の日光を遮光することができるために、光の波長を排除又は減衰する上で有用であり得る。
【００７０】
色彩は、安全機能をもたらす場合があり、ここでは色彩は特定の波長をブロックし得ることで、例えばレーザー又は溶接線などの強い放射線源を遮光又は部分的に遮光する。いくつかの実施形態では、色彩８８１は、一部のユーザーにおける医学的症状に対処することができ、ユーザーは、彼らの目に入る特定の波長を通過させるか排除するかのいずれかから利益を得ることができる。
【００７１】
図５に進むと、メディアインサート５０４、５５４を内蔵する眼用レンズ５００、５５０のビューイングセットの例示の実施形態を図示している。いくつかのかかる実施形態では、メディアインサート５０４、５５４は、変換フィルタ５０１、５５１を可変光学部内に含有することができる。多様なエネルギー印加要素が、インサートの光学ゾーンの外側の領域内に内蔵され得る。エネルギー印加要素としては、例えば、変換フィルタ５０１、５５１の性質を制御し得る集積回路、受動的電子構成部品、エネルギー印加要素、及び起動要素を挙げることができる。
【００７２】
メディアインサート５０４、５５４は、多数のインサートピースを備えることができ、ここではインサートピースは、熱成形技術によって形成され得る。例えば、位置合わせ特徴部は、２つのインサートピースを、光学ゾーン又は構成要素への直接力なしに定位置にロックさせることができる。このことは、メディアインサート５０４、５５４のより微妙ではあるが精密な組み立てを可能にすることができる。例えば、液晶は圧力又は熱によって引き起こされる損傷に影響されやすい場合がある。いくつかの実施形態では、前方ピースインサートは、後方ピースインサートにロックされることができ、位置合わせ特徴部間のロッキングは、２つのピースの位置を維持することができる。メディアインサート５０４、５５４は、集中された圧力又は熱をメディアインサート５０４、５５４のより頑強な部分に加えることによって、更に固定され得る。
【００７３】
いくつかの実施形態では、変換フィルタ５０１、５５１は、液晶を具備してもよく、ここでは液晶の起動により、変換フィルタ５０１、５５１を黒化する可能性がある。黒化は、光をブロックするために十分であり得る。ビューイングセットは、左側変換フィルタ５０１及び右側変換フィルタ５５１の交互の起動により三次元知覚をもたらすことができる。いくつかの実施形態では、左側眼用レンズ５００は、右側眼用レンズ５５０と電気的導通状態にあり得、これが、左側メディアインサート５０４を右側メディアインサート５５４と同期させることを可能にする。
【００７４】
交互起動の周波数は、立体視メディアの特定のリフレッシュ速度に構成されてもよい。いくつかの実施形態では、起動は、単一周波数でプログラムされてもよい。他の実施形態は、可変交互起動周波数を含んでもよい。例えば、メディアインサート５０４、５５４は、目視されるメディアのリフレッシュ速度を認識することができるセンサを含有してもよく、メディアインサート５０４、５５４は、結果的に交互起動周波数を調整することができる。
【００７５】
いくつかの実施形態では、分離センサは、ユーザーがいつ立体視メディアを目視するかを認識することができる。このセンサは、三次元知覚が要求されない場合、起動の停止をトリガすることが可能であり得る。起動を制限するための能力は、交互の起動が非三次元知覚を妨害するために、メディアインサートの電池寿命を延ばすことができ、長時間の装着を可能にすることができる。
【００７６】
図６に進むと、メディアインサート６０４、６５４を内蔵する眼用レンズ６００、６５０のビューイングセットの代替実施形態を図示している。いくつかのかかる実施形態では、変換フィルタ６０１、６５１は、重合ＲＭＭ内に包含された受動的要素であり得、メディアインサート６０４、６５４は、可変光学領域６０７、６５７内に能動的メニスカスベースのレンズ６０７、６５７を含有してもよい。メニスカスベースのレンズは、視覚矯正の複数の屈折力を可能にすることができる。例えば、可変光学領域６０７、６５７は、焦点要素として働くことができる、それらの間に境界面を形成する少なくとも２つの不混和性の液体を封じ込めることができる。多様なエネルギー印加要素が、インサートの光学ゾーンの外側の領域内に内蔵され得る。エネルギー印加要素としては、例えば、メニスカスベースのレンズの性質を制御し得る集積回路、受動的電子構成部品、エネルギー印加要素、及び起動要素を挙げることができる。
【００７７】
他の実施形態では、メディアインサート６０４、６５４は、環状の形状を構成してもよく、ここでは、環状メディアインサート６０４、６５４は、光学ゾーン内に領域を含有しない。このような実施形態は、例えば、活性薬剤の投与、又はグルコース若しくは温度など、眼の環境の特定の特徴のモニタリングを含む、非眼科的機能を提供し得る。
【００７８】
いくつかの実施形態では、眼用レンズ６００、６５０は、メディアインサート６０４、６５４に加えて、図示されないが、受動的剛性インサートを内蔵してもよい。剛性インサートは、重合反応性モノマー混合物内に包含された変換フィルタ６０１、６５１を具備する眼用レンズに６００、６５０に更なる機能性をもたらすことができる。いくつかの実施形態では、熱成形は、剛性インサートに着色デザインを付加することができ、これは、眼用レンズ６００、６５０に美容的機能を付加することができる。着色デザインは、眼用レンズ６００、６５０の光学ゾーンの外側に配置され得る。いくつかの実施形態では、印刷されたパターンが環状剛性インサート内に含まれてもよい。あるいは、変換フィルタが、剛性インサート内に内蔵されてもよい。
【００７９】
ビューイングセットのいくつかの実施形態では、三次元ビューイングが要求されない場合、変換フィルタは、知覚されないものであり得る。かかる実施形態は、眼用レンズの長時間の使用を可能にすることができる。眼用レンズが、変換フィルタに加えて機能性を提供する実施形態において、長時間の使用は重要であり得る。例えば、変換フィルタを内蔵する眼用レンズは、視力を矯正するか、眼に美容的色合いを付加するか、眼の環境をモニタするか、又はこれらの組み合わせを行うことができる。結果的に、かかる実施形態では、ユーザーが立体視メディアを目視しない場合、変換フィルタは、視覚的に無視され得る。
【００８０】
インサートベースの眼用レンズのための材料
いくつかの実施形態では、レンズのタイプは、シリコーン含有成分を含んでいるレンズであり得る。「シリコーン含有成分」は、モノマー、マクロマー又はプレポリマー中に少なくとも１個の［−Ｓｉ−Ｏ］を含有する成分である。好ましくは、合計Ｓｉ及び結合Ｏは、シリコーン含有成分中に、当該シリコーン含有成分の総分子量の約２０重量％より大きい、更に好ましくは３０重量％より大きい量で存在する。有用なシリコーン含有成分は、好ましくは、アクリレート、メタクリレート、アクリルアミド、メタクリルアミド、ビニル、Ｎ−ビニルラクタム、Ｎ−ビニルアミド及びスチリル官能基などの重合性官能基が含まれる。
【００８１】
いくつかの実施形態では、インサートを包囲するインサート封入層とも呼ばれる、眼用レンズのスカートは、標準的なヒドロゲルレンズ配合物から構成され得る。多数のインサート材料に許容可能な調和を呈し得る特性を備える例示の材料としては、ナラフィルコンＡ及びナラフィルコンＢを含むナラフィルコン族を挙げられる。あるいは、エタフィルコンＡを含むエタフィルコン族は、良好な例示の材料選択を表すことができる。より技術的に包括的な説明は、本明細書の技術分野と矛盾しない材料の性質に従うが、密封され封入されたインサートの許容可能な包囲部品又は部分的包囲部品を形成することができる任意の材料が矛盾せず含まれることは明確であり得る。
【００８２】
好適なシリコーン含有成分は、式Ｉの化合物を含む：
【化１】
2014182384.tif 000003
式中、
Ｒ１は、独立して、一価反応性基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能基を更に含み得、１〜１００  Ｓｉ−Ｏの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能基を更に含むこともあり、
式中、ｂ＝０〜５００であり、ｂが０以外のときに、ｂは、表示値と同等のモードを有する分配であると理解され、
少なくとも１つのＲ１は、一価反応性基を含み、一部の実施形態では、１〜３個のＲ１が一価反応性基を含む。
【００８３】
本明細書に使用するとき、「一価反応性基」は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定例としては、ビニルエーテル又はエポキシド基及びこれらの混合物が挙げられる。一実施形態では、フリーラジカル反応基には、（メタ）アクリレート、アクリルオキシ、（メタ）アクリルアミド、及びこれらの混合物が含まれる。
【００８４】
好適な一価アルキル基及びアリール基には、置換及び非置換のメチル、エチル、プロピル、ブチル、２−ヒドロキシプロピル、プロポキシプロピル、ポリエチレンオキシプロピル、これらの組み合わせなどの非置換の一価Ｃ１〜Ｃ１６アルキル基、Ｃ６〜Ｃ１４アリール基が挙げられる。
【００８５】
一実施形態では、ｂは、ゼロであり、１個のＲ１は、一価反応性基であり、少なくとも３個のＲ１は、１〜１６個の炭素原子を有する一価アルキル基から選択され、別の実施形態では、１〜６個の炭素原子を有する一価アルキル基から選択される。本発明のシリコーン成分の非限定的な例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリス（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００８６】
別の実施形態では、ｂは、２〜２０、３〜１５、又は一部の実施形態では、３〜１０であり、少なくとも１つの末端Ｒ１は、一価反応性基を含み、残りのＲ１は、１〜１６個の炭素原子を有する一価アルキル基から選択され、別の実施形態では、１〜６個の炭素原子を有する一価アルキル基から選択される。更に他の一実施形態では、ｂが３〜１５であり、１つの末端Ｒ１が一価反応性基を含み、その他の末端Ｒ１が１〜６個の炭素原子を有する一価アルキル基を含み、残りのＲ１が１〜３個の炭素原子を有する一価アルキル基を含む。本発明のシリコーン成分の非限定的な例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ」）、モノメタクリルオキシプロピル末端のモノ−ｎ−ブチル末端のポリジメチルシロキサン（８００〜１０００ＭＷ）、（「ｍＰＤＭＳ」）が挙げられる。
【００８７】
別の実施形態では、ｂは、５〜４００、又は１０〜３００であり、両方の末端Ｒ１は、一価反応性基を含み、残りのＲ１は、独立して、炭素原子間のエーテル結合を有することもあり、ハロゲンを更に含むこともある、１〜１８個の炭素原子を有する一価アルキル基から選択される。
【００８８】
一実施形態では、シリコーンヒドロゲルレンズが望ましい場合、本発明のレンズは、ポリマーが作製される反応性モノマー成分の総重量に基づき、少なくとも約２０重量％、好ましくは、約２０〜７０重量％のシリコーン含有成分を含む、反応性混合物から作製される。
【００８９】
別の実施形態では、１〜４のＲ１はビニルカーボネート又は以下の式のカルバメートを含む。
【化２】
2014182384.tif 000004
式中、ＹはＯ−、Ｓ−又はＮＨ−を意味し、
Ｒは、水素又はメチルを意味し、ｄは１、２、３又は４、かつ、ｑは０又は１である。
【００９０】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネートを含み、
【化３】
2014182384.tif 000005
約２００未満の弾性率を有する生物医学的装置が所望される場合、１個のＲ１のみが一価反応性基を含むものとし、残りのＲ１基のうちの２個以下は、一価シロキサン基を含む。
【００９１】
別のクラスのシリコーン含有成分としては、次の式のポリウレタンマクロマーが挙げられる。
式ＩＶ〜ＶＩ
（＊Ｄ＊Ａ＊Ｄ＊Ｇ）ａ ＊Ｄ＊Ｄ＊Ｅ１；
Ｅ（＊Ｄ＊Ｇ＊Ｄ＊Ａ）ａ ＊Ｄ＊Ｇ＊Ｄ＊Ｅ１又は
Ｅ（＊Ｄ＊Ａ＊Ｄ＊Ｇ）ａ ＊Ｄ＊Ａ＊Ｄ＊Ｅ１
式中、
Ｄは、６〜３０個の炭素原子を有するアルキルジラジカル、アルキルシクロアルキルジラジカル、シクロアルキルジラジカル、アリールジラジカル又はアルキルアリールジラジカルを示し、
Ｇは、１〜４０個の炭素原子を有するアルキルジラジカル、シクロアルキルジラジカル、アルキルシクロアルキルジラジカル、アリールジラジカル又はアルキルアリールジラジカルを示し、これは、主鎖中にエーテル、チオ又はアミン結合を含有できる。
＊はウレタン又はウレイド結合を意味し、
ａは、少なくとも１であり、
Ａは次の式の二価重合ラジカルを意味する。
【化４】
2014182384.tif 000006
Ｒ１１は独立してアルキル又は１〜１０個の炭素原子を有するフルオロ置換アルキル基を意味し、これには炭素原子間にエーテル結合を含んでよく、ｙは少なくとも１であり、ｐは４００〜１０，０００の部分重量を提供し、Ｅ及びＥ１はそれぞれ独立して次の式に示される重合性不飽和有機ラジカルを意味する。
【化５】
2014182384.tif 000007
式中、Ｒ１２は水素又はメチルであり、Ｒ１３は水素、１〜６個の炭素原子を有するアルキルラジカル又はａ−ＣＯ−Ｙ−Ｒ１５ラジカルであって、Ｙは−Ｏ−、Ｙ−Ｓ−又は−ＮＨ−であり、Ｒ１４は１〜１２個の炭素原子を有する二価ラジカルであり、Ｘは−ＣＯ−又は−ＯＣＯ−を意味し、Ｚは−Ｏ−又は−ＮＨ−を意味し、Ａｒは６〜３０個の炭素原子を有する芳香族ラジカルを意味し、ｗは０〜６であり、ｘは０又は１であり、ｙは０又は１であり、ｚは０又は１である。
【００９２】
１つの好ましいシリコーン含有成分は、以下の式で示されるポリウレタンマクロマーである。
式ＩＸ（完全な構造は、対応するアスタリスク領域、＊〜＊、＊＊〜＊＊を結合することによって理解され得る）
【化６】
2014182384.tif 000008
Ｒ１６は、イソホロンジイソシアネートのジラジカルなどのイソシアネート基除去後のジイソシアネートのジラジカルである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【００９３】
式Ｘ（完全な構造は、対応するアスタリスク領域、＊〜＊を結合することによって理解され得る）
【化７】
2014182384.tif 000009
【００９４】
本発明の使用に好適な他のシリコーン含有成分には、ポリシロキサン、ポリアルキレンエーテル、ジイソシアネート、ポリフッ素化炭化水素、ポリフッ素化エーテル、及び多糖類基を含有するマクロマー、末端のジフルオロで置換された炭素原子に結合する水素原子を有する、極性のフッ素化グラフト又は側基を有するポリシロキサン、エーテルを含有する親水性シロキサニルメタクリレート、並びにポリエーテル及びポリシロキサニル基を含有するシロキサニル結合及び架橋性モノマーが含まれる。前述のポリシロキサンのいずれもまた、本発明のシリコーン含有成分として使用することができる。
【００９５】
結論
上述のように、かつ以下の請求項によって更に定義されるように、本発明は、封入された剛性インサートに変換フィルタが内蔵されるような実施形態を含む、変換フィルタを具備する眼用レンズのビューイングセットを作製するための方法を提供する。本発明はまた、能動変換フィルタに電源供給し、かつ起動を制御することが可能なメディアインサート（より具体的には、メディアインサートが眼用レンズビューイングセット内に組み込まれ得る）を成形するための方法を含む。
【００９６】
〔実施の態様〕
（１）  立体視メディアの三次元知覚のための眼用装置のビューイングセットであって、
ユーザーの第１の眼上又は第１の眼の中に配置するための第１の眼用装置であって、前記第１の眼に第１のフィルタ処理された立体視メディアの変換物を提供することが可能な第１の変換フィルタを具備する、第１の眼用装置と、
前記ユーザーの第２の眼上又は第２の眼の中に配置するための第２の眼用装置であって、前記第２の眼に第２のフィルタ処理された立体視メディアの変換物を提供することが可能な第２の変換フィルタを具備する、第２の眼用装置と、を含み、
前記第１のフィルタ処理された変換物と前記第２のフィルタ処理された変換物が、同時に目視される場合、三次元知覚を構成する、ビューイングセット。
（２）  前記第１の変換フィルタと前記第２の変換フィルタが、偏光要素を具備する、実施態様１に記載のビューイングセット。
（３）  前記第１の変換フィルタと前記第２の変換フィルタが、二色性フィルタを具備する、実施態様１に記載のビューイングセット。
（４）  前記第１の変換フィルタが、第１の二色性材料を具備し、前記第１の二色性材料が、波長値の第１のセットをフィルタ処理し、
前記第２の変換フィルタが、第２の二色性材料を具備し、前記第２の二色性材料が、波長値の第２のセットをフィルタ処理し、
前記第１の眼用レンズ及び前記第２の眼用レンズが同時に目視される場合、前記波長値の第１及び第２のセットの組み合わせが、三次元知覚を構成する、実施態様１に記載のビューイングセット。
（５）  前記第１の眼用装置内に内蔵される第１のインサート装置と、
前記第２の眼用装置内に内蔵される第２のインサート装置と、を更に含む、実施態様１に記載のビューイングセット。
【００９７】
（６）  前記第１のインサート装置が、第１のメディアインサートを具備し、前記第２のインサート装置が、第２のメディアインサートを具備する、実施態様５に記載のビューイングセット。
（７）  前記第１のインサート装置が、前記第１の変換フィルタを具備し、前記第２のインサート装置が、前記第２の変換フィルタを具備する、実施態様５に記載のビューイングセット。
（８）  前記第１の変換フィルタと前記第２の変換フィルタが、偏光要素を具備する、実施態様７に記載のビューイングセット。
（９）  前記第１の変換フィルタと前記第２の変換フィルタが、二色性フィルタを具備する、実施態様７に記載のビューイングセット。
（１０）  熱成形プロセスを通じて、前記第１の変換フィルタが、前記第１のインサート装置内に内蔵され、前記第２の変換フィルタが、前記第２のインサート装置内に内蔵される、実施態様７に記載のビューイングセット。
【００９８】
（１１）  前記第１のメディアインサートが、前記第１の眼用装置の光学ゾーン内に含まれる第１の可変光学領域を制御することが可能であり、
前記第２のメディアインサートが、前記第２の眼用装置の光学ゾーン内に含まれる第２の可変光学領域を制御することが可能である、実施態様６に記載のビューイングセット。
（１２）  前記第１の可変光学領域が、第１の液体メニスカスレンズを具備し、前記第１の液体メニスカスレンズのエネルギー印加により、前記第１の可変光学領域の屈折力を変更することが可能であり、
前記第２の可変光学領域が、第２の液体メニスカスレンズを具備し、前記第２の液体メニスカスレンズのエネルギー印加により、前記第２の可変光学領域の屈折力を変更することが可能である、実施態様１１に記載のビューイングセット。
（１３）  前記第１の可変光学領域が、前記第１の変換フィルタを具備し、前記第２の可変光学領域が、前記第２の変換フィルタを具備する、実施態様１１に記載のビューイングセット。
（１４）  前記第１及び第２の可変光学領域が、液晶を具備し、
前記第１の可変光学領域の起動により、前記第１のインサート装置の前記光学ゾーンを黒化することが可能であり、
前記第２の可変光学領域の起動により、前記第２のインサート装置の前記光学ゾーンを黒化することが可能であり、
前記第１の可変光学領域と前記第２の可変光学領域の交互の起動により、前記立体視メディアの前記三次元知覚を構成する、実施態様１３に記載のビューイングセット。
（１５）  前記第１のメディアインサートが、
第１のセンサであって、ビューイング区域内の立体視メディアの存在又は不在を認識することが可能である、第１のセンサと、
前記第１のセンサと電気的導通状態にある第１の起動負荷であって、立体視メディアが前記ビューイング区域内に存在する場合、前記交互の起動を開始することが可能であり、前記立体視メディアが前記ビューイング範囲内に存在しない場合、前記交互の起動を終了することが可能である、第１の起動負荷と、を更に具備する、実施態様１４に記載のビューイングセット。
【００９９】
（１６）  前記第１のメディアインサートが、
第２のセンサであって、前記立体視メディアのリフレッシュ速度を認識することが可能である、第２のセンサと、
前記第２のセンサと電気的導通状態にある第２の起動負荷であって、前記第１の可変光学領域と前記第２の可変光学領域の前記交互の起動を、前記立体視メディアの前記リフレッシュ速度と同期化させることが可能である、第２の起動負荷と、を具備する、実施態様１５に記載のビューイングセット。
（１７）  前記第１及び第２の変換フィルタが、非立体視メディアを目視する場合、知覚されないものである、実施態様１に記載のビューイングセット。
（１８）  前記第１の眼用装置と前記第２の眼用装置が、視力矯正機能を更に具備する、実施態様１７に記載のビューイングセット。
（１９）  前記第１の眼用装置が、第１の安定化特徴部を更に具備し、前記第１の安定化特徴部が、前記第１の眼上で前記第１の眼用装置を配向させることが可能であり、
前記第２の眼用装置が、第２の安定化特徴部を更に具備し、前記第２の安定化特徴部が、前記第２の眼上で前記第２の眼用装置を配向させることが可能である、実施態様１に記載のビューイングセット。
（２０）  前記第１の安定化特徴部が、前記ユーザーへの第１の視覚的配向キューを具備し、前記第２の安定化特徴部が、前記ユーザーへの第２の視覚的配向キューを具備する、実施態様１９に記載のビューイングセット。
【図１】
2014182384.tif 000010
【図２】
2014182384.tif 000011
【図３】
2014182384.tif 000012
【図４】
2014182384.tif 000013
【図５】
2014182384.tif 000014
【図６】
2014182384.tif 000015
【外国語明細書】
2014182384000001.pdf